(57)【特許請求の範囲】
【請求項１】
一方の端子が配設される雄型ハウジングと、該雄型ハウジングが嵌入されるフード部を有し他方の端子が配設される雌型ハウジングと、前記フード部内に揺動自在に立設され一端がフード部外へ突出したレバーとを備え、レバー一端側のフード部に、該フード部の開放端面に開口部を有しレバーの一端を揺動自在に突出させるスリットが形成され、該スリットの互いに対向する両対向面間に位置するレバー部位の両壁面に、レバーの揺動をガイドするガイド用ボスがそれぞれ設けられ、前記両対向面に、ガイド用ボスを雌型ハウジングのフード部内への嵌入方向及びフード部内からの脱出方向へ移動可能に保持するガイド用保持溝がそれぞれ設けられ、フード部の底壁に、レバーの底部に設けられた揺動支点部を前記嵌入方向及び脱出方向と直交する直交方向へ移動可能に保持する支点用保持溝が形成され、雄型ハウジングに、レバーが挿入されるレバー用凹部が形成され、該レバー用凹部にガイドリブが配設され、レバーの頂部に、前記ガイドリブと係合して雄型ハウジングを前記嵌入方向又は脱出方向へ押進させるカム溝が形成されているレバー式コネクタであって、前記雄型ハウジングに、こじりを防止すると共に補強を兼ねるこじり防止補強部材を設け、前記こじり防止補強部材が、雄型ハウジングに形成されたレバー用凹部の一端に設けられ、該レバー用凹部の互いに対向する両対向面を連結する壁であり、この壁が挿入される挿入部を前記フード部の内壁面とレバーの先端との間に形成したことを特徴とするレバー式コネクタ。
【請求項２】
請求項１に記載のレバー式コネクタであって、前記こじり防止補強部材が、雄型ハウジングに形成されたレバー用凹部の互いに対向する両対向面を連結するガイドリブであり、このガイドリブが係合されるレバーのカム溝を、レバーの両壁面を貫通して形成したことを特徴とするレバー式コネクタ。
【発明の詳細な説明】
【０００１】
【発明の属する技術分野】
本発明は、レバー操作によって雌雄一対のコネクタを嵌合させ、その嵌合を解除させるレバー式コネクタに関する。
【０００２】
【従来の技術】
従来のこの種のレバー式コネクタとしては、例えば図１２及び図１３に示すようなものがある。
【０００３】
このレバー式コネクタ１０１は、図外の雌型端子を収容する端子収容室１０３が多数形成された雄型ハウジング１０５と、この雄型ハウジング１０５が嵌入されるフード部１０７を有する雌型ハウジング１０９と、フード部１０７内に揺動自在に立設され一端がフード部１０７外へ突出したレバー１１１とを備えている。
【０００４】
雌型ハウジング１０９には雄型端子１１３が多数収容されており、各雄型端子１１３はフード部１０７内に起立している。雌型ハウジング１０９のフード部１０７には、レバー１１１の一端をフード部１０７外へ揺動自在に突出させるスリット１１５が形成されている。このスリット１１５は、フード部１０７の開放端面１１７に開口部を有している。レバー１１１は、その揺動上死点位置では一端側頂部がスリット１１５の開口部から突出するようになっている。
【０００５】
レバー１１１の一端側底部には、スリット１１５の互いに対向する両対向面１１５ａ，１１５ａ間に位置する部位の両壁面に、レバー１１１の揺動をガイドするガイド用ボス１１９がそれぞれ突設されている。スリット１１５の両対向面１１５ａ，１１５ａには、レバー１１１のガイド用ボス１１９を、フード部１０７内への雄型ハウジング１０５の嵌入方向Ｙ１及びフード部１０７内からの雄型ハウジング１０５の脱出方向Ｙ２へ移動可能に保持するガイド用保持溝１２１がそれぞれ形成されている。
【０００６】
フード部１０７の底壁には、レバー１１１の他端底部の両壁面に突設され揺動支点となる支点用ボス１２３を雄型ハウジング１０５の嵌入方向Ｙ１及び脱出方向Ｙ２と直交する直交方向Ｘへ移動可能に保持する支点用保持溝１２５が形成されている。
【０００７】
雄型ハウジング１０５には、その底部にレバー１１１が挿入されるレバー用凹部１２７が形成されている。このレバー用凹部１２７は、端子収容室１０３配列の中間に位置し、その配列に沿って雄型ハウジング１０５の底部を貫通している。レバー用凹部１２７には、該レバー用凹部１２７の互いに対向する両対向面にそれぞれガイドリブ１２９，１２９が配設されている。レバー１１１の頂部には、ガイドリブ１２９，１２９と係合して雄型ハウジング１０５を嵌入方向Ｙ１又は脱出方向Ｙ２へ押進させるカム溝１３１，１３１が形成されている。
【０００８】
このレバー式コネクタ１０１では、レバー１１１を揺動上死点位置に位置させた状態で雄型ハウジング１０５の底部を雌型ハウジング１０９のフード部１０７内に挿入し、レバー１１１のカム溝１３１，１３１に雄型ハウジング１０５のガイドリブ１２９，１２９を導入してレバー１１１の一端を押して下げることにより、レバー１１１のカム溝１３１，１３１の上面と雄型ハウジング１０５のガイドリブ１２９，１２９とが係合して雄型ハウジング１０５が嵌入方向Ｙ１へ押進される。
【０００９】
従って、てこの原理により雌雄一対のコネクタを小さい力で嵌合させることができる。
【００１０】
また、雌雄一対のコネクタが嵌合している状態でレバー１１１の一端を持ち上げることにより、レバー１１１のカム溝１３１，１３１の下面と雄型ハウジング１０５のガイドリブ１２９，１２９とが係合し、雄型ハウジング１０５が脱出方向Ｙ２へ押進されて、てこの原理により雌雄一対のコネクタの嵌合を小さい力で解除させることもできる。
【００１１】
【発明が解決しようとする課題】
しかしながら、上記のようなレバー式コネクタ１０１では、雄型ハウジング１０５のフード部１０７内への嵌入時やフード部１０７内からの脱出時に、雄型ハウジング１０５がよれてフード部１０７の内壁面に当接し、雄型ハウジング１０５がフード部１０７の内壁面でこじられることがある。
【００１２】
そして、雄型ハウジング１０５がこじられた場合、雄型ハウジング１０５は端子収容室１０３に沿って貫通しているレバー用凹部１２７を介してレバー１１１を跨ぐ形状のため、図１４（ａ）に示すように、雄型ハウジング１０５の両壁がレバー用凹部１２７側へ内倒れしたり、また、図１４（ｂ）に示すように、ガイドリブ１２９，１２９にだれが生じたりすることがある。
【００１３】
雄型ハウジング１０５が内倒れしたり、ガイドリブ１２９，１２９にだれが生じた場合には、雌雄一対のコネクタの嵌合が歪になったり、嵌合解除に異常な力を要したり、あるいは、雌雄一対のコネクタの嵌合ができなくなることがある。
また、図１４（ｃ）に示すように、レバー用凹部１２７から外側へ開く方向の荷重Ｐに対する強度も弱くなるという問題があった。
【００１４】
このため、雄型ハウジング１０５の両壁の外面にリブを設けてこじりを防止することが考えられる。しかし、雄型ハウジング１０５にリブを設けると、雌型ハウジング１０９のフード部１０７の幅を大きくせざるを得なくなり、レバー式コネクタが大型化してしまうという問題があった。
【００１５】
そこで、本発明は、幅寸法が大きくならなく、雄型ハウジングのこじりを防止することができ、その結果、雌雄一対のコネクタの嵌合及び嵌合解除の安定性を向上させることができるレバー式コネクタを提供することを課題としている。
【００１６】
【課題を解決するための手段】
上記課題を解決するために、請求項１の発明は、一方の端子が配設される雄型ハウジングと、該雄型ハウジングが嵌入されるフード部を有し他方の端子が配設される雌型ハウジングと、前記フード部内に揺動自在に立設され一端がフード部外へ突出したレバーとを備え、レバー一端側のフード部に、該フード部の開放端面に開口部を有しレバーの一端を揺動自在に突出させるスリットが形成され、該スリットの互いに対向する両対向面間に位置するレバー部位の両壁面に、レバーの揺動をガイドするガイド用ボスがそれぞれ設けられ、前記両対向面に、ガイド用ボスを雌型ハウジングのフード部内への嵌入方向及びフード部内からの脱出方向へ移動可能に保持するガイド用保持溝がそれぞれ設けられ、フード部の底壁に、レバーの底部に設けられた揺動支点部を前記嵌入方向及び脱出方向と直交する直交方向へ移動可能に保持する支点用保持溝が形成され、雄型ハウジングに、レバーが挿入されるレバー用凹部が形成され、該レバー用凹部にガイドリブが配設され、レバーの頂部に、前記ガイドリブと係合して雄型ハウジングを前記嵌入方向又は脱出方向へ押進させるカム溝が形成されているレバー式コネクタであって、前記雄型ハウジングに、こじりを防止すると共に補強を兼ねるこじり防止補強部材を設け、前記こじり防止補強部材が、雄型ハウジングに形成されたレバー用凹部の一端に設けられ、該レバー用凹部の互いに対向する両対向面を連結する壁であり、この壁が挿入される挿入部を前記フード部の内壁面とレバーの先端との間に形成したことを特徴としている。
【００１７】
この発明では、雄型ハウジングにこじり防止補強部材を設け、雄型ハウジングが補強されている。したがって、雄型ハウジングのフード部内への嵌入時やフード部内からの脱出時に、雄型ハウジングがよれてフード部の内壁面でこじられた場合でも、雄型ハウジングがこじり防止補強部材によって補強されているため、雄型ハウジングのこじりが防止される。その結果、雌雄一対のコネクタの嵌合及び嵌合解除の安定性を向上させることができる。
【００１９】
また、この発明では、雄型ハウジングに形成されたレバー用凹部の対向する両対向面の一端を壁で連結している。したがって、雄型ハウジングが壁によって補強されているため、雄型ハウジングのこじりが防止される。
【００２０】
請求項２の発明は、請求項１に記載のレバー式コネクタであって、前記こじり防止補強部材が、雄型ハウジングに形成されたレバー用凹部の互いに対向する両対向面を連結するガイドリブであり、このガイドリブが係合されるレバーのカム溝を、レバーの両壁面を貫通して形成したことを特徴としている。
【００２１】
この発明では、雄型ハウジングに形成されたレバー用凹部の互いに対向する両対向面をガイドリブで連結している。したがって、雄型ハウジングがガイドリブによって補強されているため、請求項１の発明による作用と同等の作用が得られる。
【００２２】
【発明の実施の形態】
本発明の実施の形態の一例を図１〜図８を用いて以下に説明する。図１は、本発明の第一実施形態を示す分解斜視図である。図２は、図１に示すものの雄型ハウジングの平面図である。図３は、図２に示すものの右側面図である。図４は、図２に示すもののＩ−Ｉ線断面図である。図５は、図１に示すものの雌型ハウジングの平面図である。図６は、図５に示すものの右側面図である。図７は、図５に示すもののII−II線断面図である。図８は、図５に示すもののIII −III 線断面である。ただし、図１，図８では、レバーは揺動上死点位置に位置し、図５〜図７では、レバーは揺動下死点位置に位置している。
【００２３】
図１に示すように、このレバー式コネクタ１は、雄型ハウジング２と、この雄型ハウジング２が嵌入されるフード部３１を有する雌型ハウジング３と、フード部３１内に揺動自在に立設され一端がフード部３１外へ突出したレバー４とを備えている。
【００２４】
雄型ハウジング２には、図外の雄型端子（一方の端子）を収容する端子収容室２１が左右２列に配列され、各列同数ずつ所定ピッチで形成されている。各端子収容室２１は、雄型ハウジング２の頂面２２から底面２３まで雄型ハウジング２を貫通し、頂面２２側の開口部からリード線の先端に取り付けられた雌型端子が装着され、底面２３側の開口部から雌型ハウジング３のフード部３１内に起立する雄型端子５（他方の端子）が挿入されるようになっている。
【００２５】
図１〜図５に示すように、雄型ハウジング２の底面２３には、レバー４が挿入されるレバー用凹部２４が形成されている。このレバー用凹部２４は、端子収容室２１配列の中間に位置し、その配列に沿って形成されている。
【００２６】
レバー用凹部２４には、その一端に、該レバー用凹部２４の互いに対向する両対向面を連結する壁２５が設けられている。この壁２５は、雄型ハウジング２の雌型ハウジング３のフード部３１への嵌入時やフード部３１内からの脱出時における雄型ハウジング２のこじりを防止すると共に補強を兼ねるごじり防止補強部材を構成している。
【００２７】
レバー用凹部２４には、所定位置にガイドリブ２６，２６が配設されている。このガイドリブ２６，２６は、レバー用凹部２４の互いに対向する両対向面にそれぞれ設けられている。
【００２８】
レバー４は、雌型ハウジング３のフード部３１に設けられたスリット３２からフード部３１外へ揺動自在に突出する一端側頂部に、レバー４を揺動させる操作部４１が設けられている。
【００２９】
フード部３１の内壁面とレバー４の他端（先端）との間には、雄型ハウジング２を雌型ハウジング３のフード部３１内へ挿入するときに、雄型ハウジング２のこじり防止補強部材である壁２５を挿入させる挿入部３８が形成されている。
【００３０】
レバーの一端側底部には、スリット３２の互いに対向する両対向面３２ａ，３２ａ間に位置する部位の両壁面に、レバー４の揺動をガイドするガイド用ボス４２がそれぞれ設けられている。
【００３１】
レバー４の頂部には、雄型ハウジング２のガイドリブ２６，２６と係合して雄型ハウジング２のフード部３１内への嵌入方向Ｙ１又はフード部３１内からの雄型ハウジング２の脱出方向Ｙ２へ押進させるカム溝４５，４５が形成されている。
【００３２】
レバー４の操作部４１の一壁面には、その下端に、雌型ハウジング３の外壁面下部に設けられたロック片３３と係脱自在に係合してレバー４を揺動下死点位置で固定する弾性片４６が配設されている。
【００３３】
雌型ハウジング３には、雄型端子５が多数収容されている。各雄型端子５は、その一端が雌型ハウジング３の底部から雌型ハウジング３の左右両側へそれぞれ所定のピッチで突出している。雄型端子５の他端部は、雌型ハウジング３のフード部３１内で左右２列に配列され、各列同数ずつ所定のピッチで起立しており、フード部３１内へ雄型ハウジング２を嵌入させることによって、雄型ハウジング２の端子収容室２１に配設される雌型端子に挿入接続されるようになっている。
【００３４】
レバー４は、フード部３１内の雄型端子５の配列に沿って、その配列の中間位置に揺動自在に配設されている。レバー４の操作部４１をフード部３１から揺動自在に突出させる雌型ハウジング３のスリット３２は、フード部３１の開放端面３１ａから嵌入方向Ｙ１へ延び、この開放端面３１ａに開口部を有している。レバー４は、その揺動上死点位置ではスリット３２の開口部から頂部が突出するようになっている。
【００３５】
スリット３２の互いに対向する両対向面３２ａ，３２ａには、レバー４の揺動ガイド部４２を嵌入方向Ｙ１及び脱出方向Ｙ２へ揺動可能に保持するガイド用保持溝３４がそれぞれ形成されている。
【００３６】
フード部３１の底壁３１ｂには、嵌入方向Ｙ１及び脱出方向Ｙ２と直交する直交方向Ｘへスリット３２の下端部から延び、レバー４の底部が揺動自在に挿入された揺動用凹部３６が形成されている。この揺動用凹部３６の突部両側には、揺動用凹部３６と連通しレバー４の揺動支点部４４を直交方向Ｘへ移動可能に保持する支点用保持溝３７が形成されている。
【００３７】
雌型ハウジング３の底面には、雌型ハウジング３の電気回路基板に取り付けるための位置決め突部３９が２個所に設けられている。
【００３８】
以上説明したレバー式コネクタ１では、レバー４を揺動上死点位置に位置させた状態で雄型ハウジング２の底部を雌型ハウジング３のフード部３１内に挿入し、レバー４のカム溝４５，４５に雄型ハウジング２のガイドリブ２６，２６を導入してレバー４の操作部４１を押し下げることにより、レバー４のカム溝４５，４５の上面と雄型ハウジング２のガイドリブ２６，２６とが係合して、雄型ハウジング２が嵌入方向Ｙ１へ押進される。従って、てこの原理により雌雄一対のコネクタを小さい力で嵌合させることができる。
【００３９】
また、雌雄一対のコネクタが嵌合している状態でレバー４の操作部４１を持ち上げることにより、レバー４のカム溝４５，４５の下面と雄型ハウジング２のガイドリブ２６，２６とが係合し、雄型ハウジング２が脱出方向Ｙ２へ押進されて、てこの原理により雌雄一対のコネクタの嵌合を小さい力で解除させることもできる。
【００４０】
しかも、レバー式コネクタ１では、雄型ハウジング２がレバー用凹部２４の対向する両対向面の一端を連結する壁２５で補強されている。
【００４１】
したがって、雄型ハウジング２のフード部３１内への嵌入時やフード部３１内からの脱出時に、雄型ハウジング２がよれてフード部３１の内壁面でこじられた場合でも、雄型ハウジング２が壁２５によって補強されているため、雄型ハウジング２のこじりが防止される。その結果、雌雄一対のコネクタの嵌合及び嵌合解除の安全性を向上させることができる。
【００４２】
図９〜図１１は、実施形態の他の一例を示すものである。図９は、本発明の第二実施形態を示す分解斜視図である。図１０は、図９に示すものの雄型ハウジングの右側面図である。図１１は、図９に示すものの雌型ハウジングの平面図である。ただし、図９では、レバーは揺動上死点位置に位置し、図１１では、レバーは揺動下死点位置に位置している。
【００４３】
なお、図９〜図１１において、上記第一実施形態と同様の構成部分には、同符号を付して詳細な説明を省略する。
【００４４】
図９及び図１０に示すように、雄型ハウジング２の底面には、レバー４が挿入されるレバー用凹部５０が形成されている。このレバー用凹部５０は、端子収容室２１配列の中間に位置し、その配列に沿って雄型ハウジング２の底部を貫通して形成されている。
【００４５】
レバー用凹部５０には、所定位置にガイドリブ５１が配設されている。このガイドリブ５１は、レバー用凹部５０の互いに対向する両対向面を連続して設けられている。このガイドリブ５１は、雄型ハウジング２の雌型ハウジング３のフード部３１への嵌入時やフード部３１内からの脱出時における雄型ハウジング２のこじりを防止すると共に補強を兼ねるこじり防止補強部材を構成している。
【００４６】
レバー４の頂部には、雄型ハウジング２のガイドリブ５１と係合して雄型ハウジング２を、フード部３１内への雄型ハウジング２の嵌入方向Ｙ１又はフード部３１内からの雄型ハウジング２の脱出方向Ｙ２へ押進させるカム溝６０が形成されている。このカム溝６０は、レバー４の両壁面を貫通して形成されている。
【００４７】
このレバー式コネクタ１では、雄型ハウジング２がレバー用凹部５０の対向する両対向面を連続するガイドリブ５１で補強されている。
【００４８】
したがって、雄型ハウジング２のフード部３１内への嵌入時やフード部３１内からの脱出時に、雄型ハウジング２がよれてフード部３１の内壁面でこじられた場合でも、雄型ハウジング２がガイドリブ５１によって補強されているため、雄型ハウジング２のこじりが防止される。その結果、雌雄一対のコネクタの嵌合及び嵌合解除の安定性を向上させることができる。
【００４９】
【発明の効果】
以上の説明から明らかなように、請求項１に記載の発明によれば、雄型ハウジングに形成されたレバー用凹部の対向する両対向面を連続するこじり防止補強部材を設けているので、雄型ハウジングが補強される。したがって、雄型ハウジングのフード部内への嵌入時やフード部内からの脱出時に、雄型ハウジングがよれてフード部の内壁面でこじられた場合でも、雄型ハウジングがこじり防止補強部材によって補強されているため、雄型ハウジングのこじりが防止される。その結果、雌雄一対のコネクタの嵌合及び嵌合解除の安定性を向上されることができる。
【００５０】
また、請求項１に記載の発明によれば、雄型ハウジングが壁によって補強されているため、雄型ハウジングのこじりが防止される。
【００５２】
請求項２に記載の発明によれば、雄型ハウジングがガイドリブによって補強されているため、雄型ハウジングのこじりが防止される。
【００５３】
したがって、請求項１の発明による効果と同等の効果が得られる。
【図面の簡単な説明】
【図１】第一実施形態を示す分解斜視図である。
【図２】図１に示すものの雄型ハウジングの平面図である。
【図３】図２に示すものの右側面図である。
【図４】図２に示すもののＩ−Ｉ線断面図である。
【図５】図１に示すものの雌型ハウジングの平面図である。
【図６】図５に示すものの右側面図である。
【図７】図５に示すもののＩＩ−ＩＩ線断面図である。
【図８】図５に示すもののＩＩＩ−ＩＩＩ線断面図である。
【図９】第二実施形態を示す分解斜視図である。
【図１０】図９に示すものの雄型ハウジングの右側面図である。
【図１１】図９に示すものの雌型ハウジングの平面図である。
【図１２】従来例の一例を示す分解斜視図である。
【図１３】図１２に示すものの雌型ハウジングの平面図である。
【図１４】（ａ）従来例の問題点の説明図である。（ｂ）従来例の問題点の説明図である。（ｃ）従来例の問題点の説明図である。
【符号の説明】
１  レバー式コネクタ
２  雄型ハウジング
３  雌型ハウジング
４  レバー
５  雄型端子（他方の端子）
２４，５０  レバー用凹部
２５  雄型ハウジングの壁（こじり防止補強部材）
２６  ガイドリブ
３１  フード部
３１ａ  開放端面
３１ｂ  底壁
３２  スリット
３２ａ  スリットの対向面
３４  ガイド用保持溝
３７  支点用保持溝
３８  挿入部
４２  ガイド用ボス
４４  揺動支点部
４５，６０  カム溝
５１  ガイドリブ（こじり防止補強部材）
Ｘ  直交方向
Ｙ１  嵌入方向
Ｙ２  脱出方向
【図１】
0003670510.tif 000002
【図２】
0003670510.tif 000003
【図３】
0003670510.tif 000004
【図４】
0003670510.tif 000005
【図５】
0003670510.tif 000006
【図６】
0003670510.tif 000007
【図７】
0003670510.tif 000008
【図８】
0003670510.tif 000009
【図９】
0003670510.tif 000010
【図１０】
0003670510.tif 000011
【図１１】
0003670510.tif 000012
【図１２】
0003670510.tif 000013
【図１３】
0003670510.tif 000014
【図１４】
0003670510.tif 000015